(57)【要約】【課題】給水栓や延長管等の配管機器を備えた洗濯機パンにおいて、配管機器から水漏れが生じたとしても、床面上の水漏れとはならないようにする。【解決手段】洗濯機が載置される載置面２１、及び、該載置面２１の周縁に立設された立壁部２２を有し、床面に載置されるパン本体２０と、床下の給水管に接続される給水栓３２であって、前記載置面２１上に配設された給水栓３２と、該給水栓３２に接続されると共に前記載置面２１上に配設された延長管３４と、洗濯機のホースが接続されるホース接続具３５であって、前記延長管３４の先端に接続されると共に前記載置面２１上に配設されたホース接続具３５とを備える。【選択図】図１
2005180115.tif 000002
【特許請求の範囲】
【請求項１】
洗濯機が載置される載置面、及び、該載置面の周縁に立設された立壁部を有し、床面に載置されるパン本体と、
床下の給水管に接続される給水栓であって、前記載置面上に配設された給水栓と、
該給水栓に接続されると共に前記載置面上に配設された延長管と、
洗濯機への給水ホースが接続されるホース接続具であって、前記延長管の先端に接続されると共に前記載置面上に配設されたホース接続具と
を備えることを特徴とする洗濯機パン。
【請求項２】
前記パン本体は、前記立壁部の上部から前記載置面の内方に向かって延出する屋根部を備え、前記延長管は、前記給水栓との接続部分、及び、前記ホース接続具との接続部分を含めて、前記屋根部の下側に配設されていることを特徴とする請求項１に記載の洗濯機パン。
【請求項３】
前記パン本体は、前記立壁部の上部から前記載置面の内方に向かって延出する屋根部を備え、前記ホース接続具は、前記屋根部の下側に配設されていることを特徴とする請求項１または請求項２に記載の洗濯機パン。
【発明の詳細な説明】
【技術分野】
【０００１】
本発明は、洗濯機パンに関し、詳しくは、床下の給水管に接続される給水栓を備えた洗濯機パンに関するものである。
【背景技術】
【０００２】
洗濯機パンは、洗濯機を載置する載置面、及び、この載置面の周縁に立設された立壁部を有するパン本体を備えるものであり、洗濯機からの排水を、パン本体の外部に流出させることがないように上記立壁部により防止ししつつ、載置面に設けられた排水口から排出させるものである。ここで、近年においては、洗濯機が設置される部屋の床下に引き回された給水管を室内の床面に立ち上げ、この給水管から洗濯機に水を供給できるようにすることが要望されており、これを実現するために、洗濯機パンとして、床下の給水管に接続される給水栓を備えたものが種々、提案されている。中でも、給水栓に加えて、給水栓に接続された延長管と、洗濯機への給水ホースが接続されるホース接続具であって、延長管の先端に接続されたホース接続具とをも備え、延長管をパン本体と床面との間の空間に収容したものも提案されている。
【０００３】
【特許文献１】特許第３４３３３１５号公報
【発明の開示】
【発明が解決しようとする課題】
【０００４】
しかしながら、上述の洗濯機パンは、延長管をパン本体と床面との間の空間に収容したものであるため、次のような問題を有するものであった。
【０００５】
洗濯機は、稼働中に振動するものであり、この洗濯機の振動は、洗濯機を載置するパン本体に伝わり、ひいては、給水栓や延長管等の配管機器に伝わる。よって、洗濯機の振動により、配管機器の接続部分に緩みが生じたり、配管機器自体が損傷して、水漏れが発生する虞がある。また、全自動洗濯機では、吐止水の制御に電磁弁が採用されているため、電磁弁による急激な止水により、ウオーターハンマー現象が生じ易く、ウオーターハンマー現象により、配管機器の接続部分に緩みが生じたり、配管機器自体が損傷して、水漏れが生じる虞もある。ここで、延長管と他の配管機器との接続部分や延長管自体から水漏れが生じた場合、上述の洗濯機パンでは、延長管がパン本体と床面との間の空間に収容されているため、この水漏れは床面上での水漏れとなり、床面を濡らしてしまうことになる。
【０００６】
特に、一人暮らしの学生や社会人、夫婦共稼ぎの世帯等では、登校中や出勤中等、外出中の状態で洗濯機を稼働させることが度々行われる。このため、床面上に水漏れが生じたとしても、これに気が付かずに放置され、多量の水が床面上に漏れ出して、床を水浸しにしてしまうこともある。よって、床面上に水漏れが生じることは、是非とも避けなければならない。
【０００７】
本発明は、上記実状を鑑みてなされたものであり、給水栓や延長管等の配管機器を備えた洗濯機パンにおいて、配管機器から水漏れが生じたとしても、床面上の水漏れとはならないようにすることを課題とする。
【課題を解決するための手段】
【０００８】
上記課題を解決するために本発明の採った主要な手段は、
「洗濯機が載置される載置面、及び、該載置面の周縁に立設された立壁部を有し、床面に載置されるパン本体と、
床下の給水管に接続される給水栓であって、前記載置面上に配設された給水栓と、
該給水栓に接続されると共に前記載置面上に配設された延長管と、
洗濯機への給水ホースが接続されるホース接続具であって、前記延長管の先端に接続されると共に前記載置面上に配設されたホース接続具と
を備えることを特徴とする洗濯機パン」
である。
【０００９】
ここで、給水管と給水栓との接続、給水栓と延長管との接続、延長管とホース接続具との接続、及び、ホース接続具と洗濯機の給水ホースとの接続については、相互を直接的に接続する態様に限らず、継手や配管等の適宜の配管機器を介在させる態様であってもよい。
【００１０】
このように構成された洗濯機パンでは、給水栓、延長管、ホース接続具といった各種の配管機器がパン本体の載置面上に配設されている。このため、配管機器の接続部分や配管機器自体から水漏れが生じたとしても、この水漏れは、載置面上での水漏れとなり、パン本体の外部には流出しない。従って、この洗濯機パンによれば、配管機器から水漏れが生じたとしても、床面上の水漏れとはならないようにすることができる。
【００１１】
上述した手段において、
「前記パン本体は、前記立壁部の上部から前記載置面の内方に向かって延出する屋根部を備え、前記延長管は、前記給水栓との接続部分、及び、前記ホース接続具との接続部分を含めて、前記屋根部の下側に配設されていることを特徴とする洗濯機パン」
としてもよい。
【００１２】
このように構成された洗濯機パンでは、載置面上に引き回された延長管がパン本体の屋根部により隠蔽されることになる。よって、洗濯機パンの上面に延長管が露呈することがなく、洗濯機パン全体の美観を向上させることができると共に、パン本体の載置面をスッキリと納めることができる。
【００１３】
また、配管では、接続部分に漏れが生じ易く、本発明に係る洗濯機パンでは、給水栓と延長管との接続部分や、延長管とホース接続具との接続部分に水漏れが生じ易いのであるが、上記のように構成された洗濯機パンでは、延長管が、両端の接続部分を含めてパン本体の屋根部の下側に収容されることになるため、延長管の接続部分から大きく飛散するような水漏れが生じたとしても、この水漏れによる水飛沫は、立壁部及び屋根部により遮断され、パン本体の外部に飛散しない。従って、この洗濯機パンによれば、水飛沫が生じるような水漏れが生じたとしても、水飛沫が床面上に飛散することを防止することができる。
【００１４】
上述した手段において、
「前記パン本体は、前記立壁部の上部から前記載置面の内方に向かって延出する屋根部を備え、前記ホース接続具は、前記屋根部の下側に配設されていることを特徴とする洗濯機パン」
としてもよい。
【００１５】
給水栓を開弁した状態で、何らかの要因によりホース接続具から洗濯機への給水ホースが外れると、ホース接続具から水が噴出する状態となり、ホース接続具から噴出する水が、パン本体の外部に飛散する虞がある。特に、全自動洗濯機等では、稼動中はもとより、停止時であっても、洗濯機への水の供給を制御する給水栓を閉弁しないことが一般的に行われていることから、ホース接続具から水が噴出していても、これに気が付かず、所謂「ジャジャ漏れ」の状態となり、床を水浸しにしてしまう虞がある。
【００１６】
これに対して、上記のように構成された洗濯機パンでは、ホース接続具が屋根部の下側に配設されているため、ホース接続具から噴出する水は、立壁部及び屋根部により遮断され、パン本体の外部に飛散しない。従って、この洗濯機パンによれば、洗濯機への給水ホースが外れてホース接続具から水が噴出する状態となったとしても、水飛沫が床面上に飛散することを防止することができる。
【発明の効果】
【００１７】
上述した通り、本発明によれば、給水栓や延長管等の配管機器を備えた洗濯機パンにおいて、配管機器から水漏れが生じたとしても、床面上の水漏れとはならないようにすることができる。
【発明を実施するための最良の形態】
【００１８】
本発明に係る洗濯機パンの実施形態としての一例を、以下に、図面に従って詳細に説明する。
【００１９】
図１に示すように、洗濯機パン１０は、洗濯機が設置される洗面所等の室内の床面に載置されるものであり、ＰＰ樹脂、ＡＢＳ樹脂等の各種の樹脂により、全体が略方形状の受皿状に一体成形されたパン本体２０を備えるものである。ここで、パン本体２０は、洗濯機が載置される載置面２１と、この載置面２１の周縁に立設された立壁部２２と、この立壁部２２の上部から載置面２１の内方に向かって延出する屋根部２３とを有してなるものとして構成されている。なお、パン本体２０全体を一体成形しない場合には、載置面２１に対して立壁部２２及び屋根部２３を別体に形成し、この別体に形成した立壁部２２及び屋根部２３を載置面２１に一体化したり、立壁部２２に対して屋根部２３を別体に形成し、この別体に形成した屋根部２３を立壁部２２に一体化したりして、パン本体２０を構成するようにしてもよい。
【００２０】
また、パン本体２０には、載置面２１の中央部分に、排水トラップを有する排水口２４が設けられている。さらに、載置面２１は、四隅の４箇所に突出部２１ａを備えてなるものであり、各突出部２１ａの上面に洗濯機が載置されるものである。突出部２１ａの上面に洗濯機を載置することで、洗濯機の下方に十分な空間を確保することができ、洗濯機下方の空間に、洗濯機の排水ホースを引き回して、排水ホースの先端を排水口２４に良好に接続することができる。
【００２１】
パン本体２０の載置面２１上には、給水栓３２と、延出管３４と、ホース接続具３５とが、夫々配設されている。ここで、給水栓３２は、床下の給水管（図示省略）に、パン本体２０の載置面２１上に立ち上げられた立上管３０、及び、継手３１を介して、接続されるものである。なお、立上管３０は、パン本体２０を貫通するものであり、パン本体２０を貫通する部分には、封止座３０ａが装着されている。そして、この封止座３０ａにより、立上管３０とパン本体２０との間がシールされている。よって、パン本体２０に水が溜まったとしても、立上管３０から床下へと水が滴ることはない。
【００２２】
また、延出管３４は、ポリブテン樹脂、架橋ポリエチレン樹脂等により形成された可撓性を有する樹脂管からなり、給水管３２に継手３３を介して接続され、パン本体２０の載置面２１上にて、パン本体２０の１辺の立壁部２２に沿って引き回されている。
【００２３】
さらに、ホース接続具３５は、洗濯機への給水ホース（図示省略）が接続されるものであり、延長管３４の先端に接続されている。ここで、ホース接続具３５は、それ自体に延長管３４との継手となる継手構造が設けられてなるものである。また、ホース接続具３５は、固定具３６によりパン本体２０の載置面２１上に、遊動不能に固定されている。
【００２４】
このように構成された洗濯機パン１０では、立上管３０、給水栓３２、延長管３４、ホース接続具３５、各種の継手３１，３３といった配管機器がパン本体２０の載置面２１上に配設されているため、配管機器自体や他の配管機器との接続部分から水漏れが生じたとしても、この水漏れは、パン本体２０の載置面２１上のものとなり、床面上の水漏れとはならず、床面を濡らすことはない。
【００２５】
ところで、給水栓３２は、図２に示すように、パン本体２０の互いに隣接する２辺を跨ぐ状態で、パン本体２０の手前側の隅部に配置されている。このため、給水栓３２は、パン本体２０の載置面２１に洗濯機を載置しても邪魔ならないものとなっており、しかも、操作し易いものとなっている。また、給水栓３２を操作する操作ハンドル３２ａは、パン本体２０の上面、具体的には屋根部２３の上面よりも下方に配置されており、パン本体２０から無用に突出することなく、パン本体２０内の空間に納められている。さらに、給水栓３２の一端部分である立上管３０に対する接続部分は、継手３１を含めて、パン本体２０の屋根部２３の下側に配設されており、パン本体２０の屋根部２３により隠蔽されている。このため、上記接続部分や継手３１から水飛沫が飛散するような水漏れが生じたとしても、この水飛沫は、立壁部２２及び屋根部２３によって遮断され、パン本体２０の外部に飛散することがない。
【００２６】
また、延長管３４は、パン本体２０の手前側の給水栓３２からパン本体２０の奥側に向けて、図２及び図３に示すように、給水栓３２との間の継手３３、給水栓３２に対する接続部分、及び、ホース接続具３５との接続部分を含めて、全体が屋根部２３の下側に配設されており、パン本体２０の屋根部２３により隠蔽されている。このため、上記各接続部分や継手３３から水飛沫が飛散するような水漏れが生じたとしても、この水飛沫は、立壁部２２及び屋根部２３によって遮断され、パン本体２０の外部に飛散することがない。
【００２７】
さらに、ホース接続具３５は、洗濯機の給水ホースを接続可能な適宜の間隔を確保しつつ、パン本体２０の奥端の立壁部２２にその先端を向けて配置されており、しかも、図３に示すように、全体が屋根部２３の下側に配設され、パン本体２０の屋根部２３により隠蔽されている。このため、給水栓３２が開弁状態で洗濯機の給水ホースが外れてホース接続具３５から水が噴出したとしても、この噴出する水は、立壁部２２及び屋根部２３によって遮断され、パン本体２０の外部に飛散することがない。
【００２８】
ところで、本例では、屋根部２３の内側縁部が、下方に僅かに屈曲しているだけであり、屋根部２３の内側縁部の下方が開放されている。このため、給水栓３２、延長管３４やホース接続具３５等の配管機器は、パン本体２０の内側に露呈する状態となる。よって、配管機器の接続作業や配設作業、水漏れの点検作業、配管機器のメンテナンス作業等、種々の作業を、パン本体２０の内側から良好に行うことができる。なお、図示は省略するが、屋根部２３の内側縁部と載置面２１との間に、着脱自在の蓋を設けてもよく、また、屋根部２３を、内側縁部から載置面２１まで垂下する垂下壁を有するものとして、立壁部２２とは別体に形成すると共に、立壁部２２に着脱自在に装着してもよい。このような態様では、蓋や屋根部２３をパン本体２０から取り外すことで、上述の各種作業を良好に行うことができる。一方、蓋や屋根部２３をパン本体２０に装着することで、パン本体２０の内側においても、給水栓３２、延長管３４やホース接続具３５等の配管機器を隠蔽することができ、水漏れによる水飛沫がパン本体２０の外部に飛散することを、さらに良好に防止することができる。
【００２９】
以上、洗濯機パンの一例を示したが、本発明に係る洗濯機パンは、これに限らず、本発明の要旨を逸脱しない範囲で、種々の変更が可能である。
【００３０】
例えば、図４に示すような洗濯機パン１０であってもよい。この洗濯機パン１０では、給水栓３２が、パン本体２０の手前側の角部に配設されている。ここで、この給水栓３２は、操作ハンドル３２ａがパン本体２０の上方、より具体的には屋根部２３の上方に露呈する状態で、操作ハンドル３２ａを除いた略全体がパン本体２０の屋根部２３の下側に配設されている。また、給水栓３２として、流路が略直角に屈曲する部分に弁機構が設けられた所謂「アングル弁」が採用されており、給水栓３２自体を立上管３０として機能させている。よって、本例では、給水栓３２が、立上管３０を介することなく直接、床下の給水管に接続される。なお、その他の構成については、上述の例と同様であり、図面に同一の符号を付すことで、その詳細な説明を省略する。
【図面の簡単な説明】
【００３１】
【図１】本発明に係る洗濯機パンの一例を示す部分破断斜視図である。
【図２】図１に示した洗濯機パンの給水栓部分を示す要部平面図である。
【図３】図１に示した洗濯機パンのホース接続具部分を示す要部平面図である。
【図４】本発明に係る洗濯機パンの別例の給水栓部分を示す要部平面図である。
【符号の説明】
【００３２】
１０  洗濯機パン
２０  パン本体
２１  載置面
２１ａ  突出部
２２  立壁部
２３  屋根部
２４  排水口
３０  立上管
３０ａ  封止座
３１  継手
３２  給水栓
３２ａ  操作ハンドル
３３  継手
３４  延出管
３５  ホース接続具
３６  固定具
【図１】
2005180115.tif 000003
【図２】
2005180115.tif 000004
【図３】
2005180115.tif 000005
【図４】
2005180115.tif 000006